(57)【特許請求の範囲】
【請求項１】
水平に延在する壁中心線と略平行に延在して床面に対して立ち上がる立上げ部を有する下地鋼材に、壁の隅部で、コーナ用壁パネルを取付具を利用して取り付ける方法において、
前記コーナ用壁パネルの長辺小口に対向して配置される第１の取付片と、前記下地鋼材の前記立上げ部に対向して配置される第２の取付片と、を備えた前記取付具を用いて、
前記下地鋼材の前記立上げ部に、前記コーナ用壁パネルの内側壁面を押し付ける工程と、
前記コーナ用壁パネルの前記長辺小口に第１のビスによって前記取付具の前記第１の取付片を固定する工程と、
前記下地鋼材の前記立上げ部に第２のビスによって前記取付具の前記第２の取付片を固定する工程と、を備えたことを特徴とするコーナ用壁パネルの取付方法。
【請求項２】
前記コーナ用壁パネルは、前記長辺小口に対して前記内側壁面が直交し、前記取付具は、前記第１の取付片に対して前記第２の取付片が直交し、前記下地鋼材の前記立上げ部に前記取付具の前記第１の取付片が当接していることを特徴とする請求項１記載のコーナ用壁パネルの取付方法。
【請求項３】
水平に延在する壁中心線と略平行に延在して床面に対して立ち上がる立上げ部を有する下地鋼材に、壁の隅部で、コーナ用壁パネルが取付具によって取り付けられた取付構造において、
前記取付具は、前記コーナ用壁パネルの長辺小口と対向して配置される第１の取付片と、前記下地鋼材の前記立上げ部と対向して配置される第２の取付片と、を備え、
前記下地鋼材の前記立上げ部に、前記コーナ用壁パネルの内側壁面が押し付けられ、前記コーナ用壁パネルの前記長辺小口に第１のビスによって前記取付具の前記第１の取付片が固定され、前記下地鋼材の前記立上げ部に第２のビスによって前記取付具の前記第２の取付片が固定されたことを特徴とするコーナ用壁パネルの取付構造。
【請求項４】
前記コーナ用壁パネルは、前記長辺小口に対して前記内側壁面が直交し、前記取付具は、前記第１の取付片に対して前記第２の取付片が直交し、前記下地鋼材の前記立上げ部に前記取付具の前記第１の取付片が当接していることを特徴とする請求項３記載のコーナ用壁パネルの取付構造。
【請求項５】
前記取付具の前記第１の取付片は、前記第２の取付片の略中央に配置されていることを特徴とする請求項３又は４記載のコーナ用壁パネルの取付構造。
【発明の詳細な説明】
【技術分野】
【０００１】
本発明は、壁の入隅部又は出隅部に配置されるコーナ用壁パネルの取付方法及び取付構造に関するものである。
【背景技術】
【０００２】
従来、このような分野の技術として、特開２００２−３０９７０２号公報がある。この公報には、コーナ用壁パネルの取付方法について記載されている。先ず、建物の壁面に対応する位置であって、コーナ用壁パネルを配置すべき位置に支持金具が配置され、固定具によって床スラブに固定される。そして、固定された支持金具上にコーナ用壁パネルを配置して床スラブに対して位置決めして保持する。その後、小口面(長辺小口)に形成した穴に固定部材の棒部材を挿入しておき、取付金具の小口側片を小口面に当接させた状態で、取付金具のスラブ側片を床スラブに当接させ、このスラブ側片の上方から鉄砲ピンを打ち込む。これにより、鉄砲ピンがスラブ側片を貫通して床スラブに打ち込まれ、取付金具がスラブに固定される。また、コーナ用壁パネルの小口面に形成された穴に予め挿入されていた固定部材のフランジ部材と取付金具の小口側片とを溶接することで、取付金具が小口面に固定される。このようにして、コーナ用壁パネルは、Ｌ型の取付金具を介して床スラブに対して固定される。
【先行技術文献】
【特許文献】
【０００３】
【特許文献１】特開２００２−３０９７０２号公報
【発明の概要】
【発明が解決しようとする課題】
【０００４】
しかしながら、前述した従来のコーナ用壁パネルの取付方法にあっては、床スラブ上でのコーナ用壁パネルの位置決めが難しく、しかも、固定部材のフランジ部材と取付金具の小口側片とを溶接する作業が必要になるので、コーナ用壁パネルの取付作業性が悪いといった問題点がある。
【０００５】
本発明は、コーナ用壁パネルの取付作業性を良好にしたコーナ用壁パネルの取付方法及び取付構造を提供することを目的とする。
【課題を解決するための手段】
【０００６】
本発明は、水平に延在する壁中心線と略平行に延在して床面に対して立ち上がる立上げ部を有する下地鋼材に、壁の隅部で、コーナ用壁パネルを取付具を利用して取り付ける方法において、
コーナ用壁パネルの長辺小口に対向して配置される第１の取付片と、下地鋼材の立上げ部に対向して配置される第２の取付片と、を備えた取付具を用いて、
下地鋼材の立上げ部に、コーナ用壁パネルの内側壁面を押し付ける工程と、
コーナ用壁パネルの長辺小口に第１のビスによって取付具の第１の取付片を固定する工程と、
下地鋼材の立上げ部に第２のビスによって取付具の第２の取付片を固定する工程と、を備えたことを特徴とする。
【０００７】
このコーナ用壁パネルの取付方法においては、隣接する壁パネルの設置にも利用される下地鋼材の有効利用を図って、下地鋼材の立上げ部に、コーナ用壁パネルの内側壁面を押し付けることで、コーナ用壁パネルの位置決めが容易になる。また、コーナ用壁パネルの長辺小口と内側壁面にビスが螺着されるので、コーナ用壁パネルの外側壁面にビスが露出することがない。また、ビスと取付具だけでコーナ用壁パネルを下地鋼材に固定できるので、コーナ用壁パネルの位置決めの容易性と相俟って、作業性が良好になる。そして、コーナ用壁パネルの内側壁面が幅方向に狭い場合でも、ビスと取付具だけでコーナ用壁パネルを下地鋼材に確実に固定させることができる。しかも、コーナ用壁パネルの長辺小口に対向して配置される第１の取付片と、下地鋼材の立上げ部に対向して配置される第２の取付片と、を備えた取付具を利用することで、第１のビスは、第２のビスより長いものを適用させることができるので、地震により建物が揺れた場合でも、ビス止め強度の確保に極めて有利である。そして、前述した取付具は、コーナパネルの内側壁面の幅の大小に拘わらず利用することができるので、汎用性が極めて広いと言える。
【０００８】
また、コーナ用壁パネルは、長辺小口に対して内側壁面が直交し、取付具は、第１の取付片に対して第２の取付片が直交し、下地鋼材の立上げ部に取付具の第１の取付片が当接していると好適である。
コーナ用壁パネル及び取付具にこのような構成を採用すると、地震によって建物が揺れた場合、コーナ用壁パネルが内側から外側に向かって移動しようとしても、第２の取付片が曲がること無しに、第１の取付片を突っ張った状態に維持させることができるので、ビス止め強度の確保を更に有利にすることができ、かつ、コーナ用壁パネルが外側へ移動するのを抑制できる。
【０００９】
本発明は、水平に延在する壁中心線と略平行に延在して床面に対して立ち上がる立上げ部を有する下地鋼材に、壁の隅部で、コーナ用壁パネルが取付具によって取り付けられた取付構造において、
取付具は、コーナ用壁パネルの長辺小口と対向して配置される第１の取付片と、下地鋼材の立上げ部と対向して配置される第２の取付片と、を備え、
下地鋼材の立上げ部に、コーナ用壁パネルの内側壁面が押し付けられ、コーナ用壁パネルの長辺小口に第１のビスによって取付具の第１の取付片が固定され、下地鋼材の立上げ部に第２のビスによって取付具の第２の取付片が固定されたことを特徴とする。
【００１０】
このコーナ用壁パネルの取付構造においては、隣接する壁パネルの設置にも利用される下地鋼材の有効利用を図って、下地鋼材の立上げ部に、コーナ用壁パネルの内側壁面が押し付けられているので、作業時にコーナ用壁パネルの位置決めが容易になる。また、コーナ用壁パネルの長辺小口と内側壁面にビスが螺着されているので、コーナ用壁パネルの外側壁面にビスが露出することがない。また、ビスと取付具だけでコーナ用壁パネルが下地鋼材に固定されているので、コーナ用壁パネルの位置決めの容易性と相俟って、作業性が良好である。そして、コーナ用壁パネルの内側壁面が幅方向に狭い場合でも、ビスと取付具だけでコーナ用壁パネルを下地鋼材に確実に固定させることができる。しかも、取付具は、コーナ用壁パネルの長辺小口に対向して配置される第１の取付片と、下地鋼材の立上げ部に対向して配置される第２の取付片と、を備えているので、第１のビスは、第２のビスより長いものを適用させることができるので、地震により建物が揺れた場合でも、ビス止め強度の確保に極めて有利である。しかも、前述した取付具は、コーナパネルの内側壁面の幅の大小に拘わらず利用することができるので、汎用性が極めて広いと言える。
【００１１】
また、コーナ用壁パネルは、長辺小口に対して内側壁面が直交し、取付具は、第１の取付片に対して第２の取付片が直交し、下地鋼材の立上げ部に取付具の第１の取付片が当接していると好適である。
コーナ用壁パネル及び取付具にこのような構成を採用すると、地震によって建物が揺れた場合、コーナ用壁パネルが内側から外側に向かって移動しようとしても、第２の取付片が曲がること無しに、第１の取付片を突っ張った状態に維持させることができるので、ビス止め強度の確保を更に有利にすることができる。
【００１２】
また、取付具の第１の取付片は、第２の取付片の略中央に配置されていると好適である。
このような構成の取付具は、コーナ用壁パネルの一方の長辺小口にも他方の長辺小口にも利用することができるので、部品の共通化を図って、コスト低減や部品点数の低減が可能になる。
【発明の効果】
【００１３】
本発明によれば、コーナ用壁パネルの取付作業性を良好にすることができる。
【図面の簡単な説明】
【００１４】
【図１】本発明に係るコーナ用壁パネルの取付構造の一実施形態を示す水平断面図である。
【図２】図１のＩＩ−ＩＩ線に沿う鉛直断面図である。
【図３】アングル材にコーナパネル及び取付具を装着する前の状態を示す斜視図である。
【図４】本発明に適用される取付具の他の利用例を示す断面図である。
【図５】本発明に適用される他の取付具を示す斜視図である。
【発明を実施するための形態】
【００１５】
以下、図面を参照しつつ本発明に係るコーナ用壁パネルの取付方法及び取付構造の好適な実施形態について詳細に説明する。
【００１６】
図１〜図３に示すように、鉄骨造(Ｓ造)や鉄筋コンクリート造(ＲＣ造)の建物に利用される壁パネルとしては、軽量気泡コンクリート（Autoclaved Light-weight Concrete）パネルが利用されている。
【００１７】
構造躯体の外壁として利用される平面用の壁パネル(以下、「平パネル」と呼ぶ)１の上下端は、構造躯体の床３に固定された下地鋼材の一例としてのＬ型アングル材２と平パネル１とに架け渡される取付プレート４によって支持されている。この取付プレート４は、稲妻プレートとも呼ばれ、その中央で鋼板の折り曲げ加工によりアングル材２の厚みに相当する量だけ屈曲させられている。
【００１８】
平パネル１にはボルト６が植設され、ボルト６の端部にはリング状のメガネ部６ａが設けられている。平パネル１内で厚み方向に水平に延在する貫通孔(図示せず)内にボルト６のメガネ部６ａが挿入され、メガネ部６ａは、これを貫通するように長さ方向に水平方向に差し込まれた鋼棒８によって平パネル１に固定される。
【００１９】
ボルト６のネジ部は、取付プレート４に設けられた長穴４ｂから外部に突出し、ボルト６のネジ部にナット７を螺着させる。そして、ナット７を締め込むことで、取付プレート４が平パネル１及びアングル材２に強く押し付けられ、そして、取付プレート４が、溶接又はビスによってアングル材４に固定されることで、平パネル１がアングル材２にしっかりと固定される。
【００２０】
壁の出隅部には、平パネル１と同じ材質からなる断面Ｌ字状のコーナ用壁パネル(以下「コーナパネル」と呼ぶ)１０が、平パネル１から離されて設置される。このコーナパネル１０の固定には、平パネル１を取付プレート４を介して支持するための断面Ｌ字状のアングル材２の端部が利用され、長尺状のアングル材２は、水平に延在する壁中心線Ｌと略平行に延在して、水平な床面Ｓに対して直角に立ち上がる立上げ部１１と、この立上げ部１１に対して直角をなすと共に、床面Ｓ上で延在する床設置部１２とを有している。
【００２１】
そして、コーナパネル１０の内側壁面１０ａは、アングル材２の立上げ部１１に押し付けるようにして当接され、コーナパネル１０の下側面１０ｂは、アングル材２の床設置部１２上に載置される。このように、アングル材２の立上げ部１１を利用することで、コーナパネル１０の水平方向の位置決めが容易になる。
【００２２】
更に、コーナパネル１０は、鋼材又はアルミ材からなる取付具２０を利用してアングル材２に取り付けられる。この取付具２０は、コーナパネル１０の端で上下方向に延在し且つ内側壁面１０ａに直交する長辺小口１０ｃに、対向且つ当接して配置される薄板状の第１の取付片２１と、アングル材２の立上げ部１１に対向且つ当接して配置される薄板状の第２の取付片２２とからなる。この第２の取付片２２は、第１の取付片２１に対して直交し、第１の取付片２１は、第２の取付片２２の略中央に配置されている。第１の取付片２１の端部には、ビス挿入孔２１ａが形成され、第２の取付片２２の両端部には、ビス挿入孔２２ａ，２２ｂがそれぞれ形成されている。
【００２３】
次に、コーナパネル１０の取付方法について説明する。
【００２４】
図１〜図３に示すように、コーナパネル１０の下側面１０ｂを、アングル材２の床設置部１２上に載置させ、コーナパネル１０の内側壁面１０ａを、アングル材２の立上げ部１１に押し付けるようにして当接させる。その後、コーナパネル１０の長辺小口１０ｃに取付具２０の第１の取付片２１を当接させ、アングル材２の立上げ部１１の外面に取付具２０の第２の取付片２２を当接させる。このとき、第２の取付片２２とコーナパネル１０の内側壁面１０ａとの間には、アングル材２の厚み分だけの隙間が空く。
【００２５】
この状態で、第１の取付片２１のビス挿入孔２１ａに第１のビス２３を挿入させ、電動ドライバによって第１のビス２３をコーナパネル１０にねじ込む。また、第２の取付片２２のビス挿入孔２２ａに第２のビス２４を挿入させ、電動ドライバによって第２のビス２４をコーナパネル１０にねじ込む。その結果、第１のビス２３と第２のビス２４とは、９０度の角度をもった捻れの位置に配置されることになる。
【００２６】
さらに、コーナパネル１０の他方の長辺小口１０ｄ側も、取付具２０の利用によって、コーナパネル１０がアングル材２に固定される。この場合、アングル材２に対しては第２の取付片２２のビス挿入孔２２ｂが利用されることになる。このような一連の簡単な作業により、コーナパネル１０はアングル材２に容易に固定される。
【００２７】
その後、コーナパネル１０に隣接する平パネル１をアングル材２の立上げ部１１及び床設置部１２に当接させる。この状態で、取付プレート４の長穴４ｂに平パネル１から突出するボルト６を挿入させ、取付プレート４を平パネル１とアングル材２との間に架け渡す。そして、ボルト６のネジ部にナット７を螺着させて、ナット７を締め込む。これにより、取付プレート４が平パネル１及びアングル材２に強く押し付けられる。その後、取付プレート４は、溶接によってアングル材４にしっかりと固定される。
【００２８】
なお、平パネル１をアングル材２に固定した後に、隅部で、コーナパネル１０をアングル材２に固定させることもできる。
【００２９】
この場合、取付具２０の第１の取付片２１を第１のビス２３によってしっかりとコーナパネル１０に固定させる。このとき、第２の取付片２２とコーナパネル１０の内側壁面１０ａとの間にアングル材２の厚み相当分の隙間を空けておく。その後、第２の取付片２２とコーナパネル１０の内側壁面１０ａとの隙間にアングル材２の立上げ部１１を差し込むようにして、コーナパネル１０の下側壁面１０ｂを、アングル材２の床設置部１２上に載置させ、コーナパネル１０の内側壁面１０ａを、アングル材２の立上げ部１１に押し付けるようにして当接させる。その後、第２のビス２４によって取付具２０をアングル材２に固定する。
【００３０】
コーナパネル１０の上端側については、図示しないが、床面Ｓ側と同様に、天井面に固定されたアングル材に、前述した取付具２０、第１及び第２のビス２３，２４を利用して同様の手順で固定される。
【００３１】
続いて、コーナパネル１０の取付方法及び取付構造の利点について説明すると、隣接する平パネル１の設置にも利用されるアングル材２の有効利用を図って、アングル材２の立上げ部１１に、コーナパネル１０の内側壁面１０ａを押し付けることで、コーナパネル１０の位置決めが容易になる。また、コーナパネル１０の長辺小口１０ｃ，１０ｄと内側壁面１０ａにビス２３，２４が螺着されるので、コーナパネル１０の外側壁面にビス２３，２４が露出することがない。また、ビス２３，２４と取付具２０だけでコーナパネル１０をアングル材２に固定できるので、コーナパネル１０の位置決めの容易性と相俟って、作業性が良好になる。
【００３２】
そして、コーナパネル１０の内側壁面１０ａが幅方向に狭い場合でも、ビス２３，２４と取付具２０だけでコーナパネル１０をアングル材２に確実に固定させることができる。また、コーナパネル１０の内側壁面１０ａの幅が、前述した取付プレート４の幅より狭い場合には、取付プレート４を利用することができないので、取付具２０の利用は効果的であり、しかも、取付プレート４を利用する場合には、メガネ部６ａをもったボルト６、ナット７、鋼棒８、溶接などが必要であり、構造が複雑化してしまうが、取付具２０の利用は、このような不利益はない。
【００３３】
さらに、コーナパネル１０の長辺小口１０ｃに対向して配置される第１の取付片２１と、アングル材２の立上げ部１１に対向して配置される第２の取付片２２と、を備えた取付具２０を利用することで、第１のビス２３は、第２のビス２４より長いものを適用させることができるので、地震により建物が揺れた場合でも、ビス止め強度の確保に極めて有利である。
【００３４】
また、コーナパネル１０は、長辺小口１０ｃ，１０ｄに対して内側壁面１０ａが直交し、取付具２０は、第１の取付片２１に対して第２の取付片２２が直交し、アングル材２の立上げ部１１に取付具２０の第１の取付片２１が当接していると、地震によって建物が揺れた場合、コーナパネル１０が内側から外側に向かって移動しようとしても、第２の取付片２２が曲がること無しに、第１の取付片２１を突っ張った状態に維持させることができるので、ビス止め強度の確保を更に有利にすることができ、また、コーナパネル１０が外側へ移動するのを抑制できる。
【００３５】
また、第１の取付片２１と第２の取付片２２とでＴ字状をなす取付具２０を利用すると、左右の長辺小口１０ｃ，１０ｄにおいて、同じ取付具２０を利用できるので、部品の共通化を図って、コスト低減や部品点数の低減が可能になる。
【００３６】
本発明は、前述した実施形態に限定されないことは言うまでもない。
【００３７】
図４に示すように、取付具２０の第２の取付片２２がコーナパネル１０と対面しないような位置で、第２の取付片２２をアングル材２に当接させた後に、第２のビス２４によってアングル材２にコーナパネル１０を固定するようにしてもよい。このような取り付けは、コーナパネル１０の内側壁面１０ａの幅が極めて狭く、コーナパネル１０の内側壁面１０ａが第２の取付片２２の巾より短い場合に効果的である。すなわち、前述した取付具２０は、コーナパネル１０の内側壁面１０ａの幅の大小に拘わらず利用することができるので、汎用性が極めて広いと言える。
【００３８】
図５に示された他の例に係るＬ形の取付具３０，４０は、コーナパネル１０の長辺小口１０ｃ，１０ｄのそれぞれに適用される。コーナパネル１０の長辺小口１０ｃ側に適用される取付具３０は、コーナパネル１０の長辺小口１０ｃに対向且つ当接して配置される薄板状の第１の取付片３１と、アングル材２の立上げ部１１に対向且つ当接して配置される薄板状の第２の取付片３２とからなる。この第２の取付片３２は、第１の取付片３１に対して直交する。第１の取付片３１の端部には、ビス挿入孔３１ａが形成され、第２の取付片３２の端部には、ビス挿入孔３２ａが形成されている。
【００３９】
同様に、コーナパネル１０の長辺小口１０ｄ側に適用される取付具４０は、コーナパネル１０の長辺小口１０ｄに対向且つ当接して配置される薄板状の第１の取付片４１と、アングル材２の立上げ部１１に対向且つ当接して配置される薄板状の第２の取付片４２とからなる。この第２の取付片４２は、第１の取付片４１に対して直交する。第１の取付片４１の端部には、ビス挿入孔４１ａが形成され、第２の取付片４２の端部には、ビス挿入孔４２ａが形成されている。
【００４０】
このような構成の取付具３０，４０は、２枚一組として利用され、第１及び第２のビス２３，２４によってコーナパネル１０及びアングル材２に固定される。これら取付具３０，４０を用いたコーナパネル１０の取付方法は、取付具２０と同様であるので省略する。
【００４１】
また、前述した取付具２０，３０，４０は、壁の入隅部に配置されるコーナパネルにも適用することができる。
【符号の説明】
【００４２】
２…アングル材(下地鋼材)、１０…コーナパネル(コーナ用壁パネル)、１０ａ…内側壁面、１０ｃ，１０ｄ…長辺小口、１１…立上げ部、２０，３０，４０…取付具、２１，３１，４１…第１の取付片、２２，３２，４２…第２の取付片、２３…第１のビス、２４…第２のビス、Ｌ…壁中心線、Ｓ…床面。
【図１】
0005427059.tif 000002
【図２】
0005427059.tif 000003
【図３】
0005427059.tif 000004
【図４】
0005427059.tif 000005
【図５】
0005427059.tif 000006